(57)【要約】【課題】複数のＡＣ入力端子それぞれの電圧値に対応した制御を行い、負荷回路への安定した電力供給を確保することのできる画像形成装置、電源制御装置、画像形成方法および電源制御方法を提供する。【解決手段】１または２以上の定着ヒータ１３１〜１３４と、商用ＡＣ電源に接続し、定着ヒータ１３１〜１３４に電力を供給する第１商用ＡＣ電源１１１および第２商用ＡＣ電源１２１と、第１商用ＡＣ電源１１１における電圧を検出する第１電圧検出回路１１５と、第２商用ＡＣ電源１２１における電圧を検出する第２電圧検出回路１２５と、第１電圧検出回路１１５および第２電圧検出回路１２５により検出された電圧のうち少なくとも一方の電圧に基づいて、定着ヒータ１３１〜１３４を制御する主制御部１４３とを備えた。【選択図】        図１
2008076491.tif 000002
【特許請求の範囲】
【請求項１】
１または２以上の定着ヒータと、
商用ＡＣ電源に接続し、前記定着ヒータに電力を供給する第１ＡＣ入力端子および第２ＡＣ入力端子と、
前記第１ＡＣ入力端子における電圧を検出する第１電圧検出手段と、
前記第２ＡＣ入力端子における電圧を検出する第２電圧検出手段と、
前記第１電圧検出手段により検出された電圧および前記第２電圧検出手段により検出された前記電圧のうち少なくとも一方の電圧に基づいて、前記定着ヒータを制御する制御手段と
を備えたことを特徴とする画像形成装置。
【請求項２】
第１定着ヒータと、第２定着ヒータを備え、
前記第１ＡＣ入力端子は、前記１または２以上の第１定着ヒータに電力を供給し、
前記第２ＡＣ入力端子は、前記１または２以上の第２定着ヒータに電力を供給することを特徴とする請求項１に記載の画像形成装置。
【請求項３】
前記制御手段は、前記第１定着ヒータの点灯ＤＵＴＹを制御し、かつ前記第２定着ヒータの点灯ＤＵＴＹを制御することを特徴とする請求項２に記載の画像形成装置。
【請求項４】
前記制御手段は、前記第１電圧検出手段により検出された電圧が高いほど前記第１定着ヒータの点灯ＤＵＴＹを小さくし、前記第２電圧検出手段により検出された電圧が高いほど前記第２定着ヒータの点灯ＤＵＴＹを小さくすることを特徴とする請求項２または３に記載の画像形成装置。
【請求項５】
前記制御手段は、さらに前記第１ＡＣ入力端子の定格値に応じて前記第１定着ヒータの点灯ＤＵＴＹを制御し、前記第２ＡＣ入力端子の定格値に応じて前記第２定着ヒータの点灯ＤＵＴＹを制御することを特徴とする請求項４に記載の画像形成装置。
【請求項６】
前記制御手段は、前記第１電圧検出手段により検出された電圧が前記第１ＡＣ入力端子の定格値により定まる閾値よりも大きい場合に、前記第１定着ヒータの出力をオフすることを特徴とする請求項４または５に記載の画像形成装置。
【請求項７】
前記制御手段は、前記第１電圧検出手段により検出された電圧が前記閾値よりも大きい場合に、前記第１定着ヒータおよび前記第２定着ヒータの出力をオフすることを特徴とする請求項６に記載の画像形成装置。
【請求項８】
前記制御手段は、前記第１ＡＣ入力端子が前記第２ＡＣ入力端子に比べてより大きい電力を供給する場合に、前記第１電圧検出手段により検出された電圧に基づいて、前記第１定着ヒータおよび前記第２定着ヒータを制御することを特徴とする請求項２または３のいずれか一項に記載の画像形成装置。
【請求項９】
前記制御手段は、前記第１電圧検出手段により検出された電圧が大きいほど前記第１定着ヒータおよび第２定着ヒータの点灯ＤＵＴＹを小さくすることを特徴とする請求項８に記載の画像形成装置。
【請求項１０】
前記制御手段は、さらに前記第１ＡＣ入力端子の定格値に応じて、前記第１定着ヒータおよび前記第２定着ヒータの点灯ＤＵＴＹを制御することを特徴とする請求項９に記載の画像形成装置。
【請求項１１】
前記制御手段は、前記第１電圧検出手段により検出された電圧が前記第１ＡＣ入力端子の定格値により定まる閾値よりも大きい場合に、前記第１定着ヒータの出力をオフすることを特徴とする請求項８から１０のいずれか一項に記載の画像形成装置。
【請求項１２】
前記制御手段は、前記第１電圧検出手段により検出された電圧が前記閾値よりも大きい場合に、前記第１定着ヒータおよび前記第２定着ヒータの出力をオフすることを特徴とする請求項１１に記載の画像形成装置。
【請求項１３】
前記第１ＡＣ入力端子または第２ＡＣ入力端子のうちいずれか一方が、前記制御手段に電力を供給することを特徴とする請求項１から１２のいずれか一項に記載の画像形成装置。
【請求項１４】
前記制御手段は、当該画像形成装置の動作可能状態に遷移する状態である動作準備状態において、前記定着ヒータの制御を行うことを特徴とする請求項１から１３のいずれか一項に記載の画像形成装置。
【請求項１５】
１または２以上の負荷回路と、
商用ＡＣ電源に接続し、前記定着ヒータに電力を供給する第１ＡＣ入力端子および第２ＡＣ入力端子と、
前記第１ＡＣ入力端子における電圧を検出する第１電圧検出手段と、
前記第２ＡＣ入力端子における電圧を検出する第２電圧検出手段と、
前記第１電圧検出手段により検出された電圧および前記第２電圧検出手段により検出された前記電圧のうち少なくとも一方の電圧に基づいて、前記負荷回路を制御する制御手段と
を備えたことを特徴とする電源制御装置。
【請求項１６】
商用ＡＣ電源に接続し、１または２以上の定着ヒータに電力を供給する第１ＡＣ入力端子における電圧を検出する第１電圧検出ステップと、
商用ＡＣ電源に接続し、１または２以上の定着ヒータに電力を供給する第２ＡＣ入力端子における電圧を検出する第２電圧検出ステップと、
前記第１電圧検出ステップにおいて検出された電圧および前記第２電圧検出ステップにおいて検出された前記電圧のうち少なくとも一方の電圧に基づいて、前記定着ヒータを制御する制御ステップと
を有することを特徴とする画像形成方法。
【請求項１７】
商用ＡＣ電源に接続し、１または２以上の負荷回路に電力を供給する第１ＡＣ入力端子における電圧を検出する第１電圧検出ステップと、
商用ＡＣ電源に接続し、１または２以上の負荷回路に電力を供給する第２ＡＣ入力端子における電圧を検出する第２電圧検出ステップと、
前記第１電圧検出ステップにおいて検出された電圧および前記第２電圧検出ステップにおいて検出された前記電圧のうち少なくとも一方の電圧に基づいて、前記負荷回路を制御する制御ステップと
を有することを特徴とする電源制御方法。
【発明の詳細な説明】
【技術分野】
【０００１】
本発明は、定着ヒータを制御する画像形成装置、電源制御装置、画像形成方法および電源制御方法に関するものである。
【背景技術】
【０００２】
従来、複数のＡＣ入力端子からすべての定着ヒータ及びすべてのＤＣ負荷に電力を供給する電源装置および画像形成装置が知られている（例えば、「特許文献１」参照）。この装置においては、１本のＡＣ入力端子からすべての定着ヒータ及びすべてのＤＣ負荷に電力を供給するモードと、複数のＡＣ入力端子からすべての定着ヒータ及びすべてのＤＣ負荷に電力を供給するモードを主制御で切り替えている。例えば、画像形成装置の立上げ時など画像形成装置全体で多くの電力を要する場合には複数のＡＣ入力端子からすべての定着ヒータ及びすべてのＤＣ負荷に電力を供給する。また、画像形成装置の待機時など画像形成装置全体で多くの電力を要さない場合には１本のＡＣ入力端子からすべての定着ヒータ及びすべてのＤＣ負荷に電力を供給する。
【０００３】
また、電源部にＡＣ入力端子から供給されたＡＣ電圧値を検出する機能を搭載した電源装置及び画像形成装置も開示されている（例えば「特許文献２」参照）。この画像形成装置においては、定着機能への安定した電力供給を保つために、ユーザ先でのＡＣ入力端子のＡＣ電圧差に対応した定着制御を行っている。例えば、ＡＣ入力の定格値に対して、ＡＣ電圧値が低い場合に定着ヒータへの点灯ＤＵＴＹをＵＰさせ、ＡＣ電圧値が高い場合に定着ヒータの点灯ＤＵＴＹをＤＯＷＮさせる。
【０００４】
【特許文献１】特開２００３−３２３０８５号公報
【特許文献２】特開２００６−１３３４３８号公報
【発明の開示】
【発明が解決しようとする課題】
【０００５】
しかしながら、上記従来技術においては、以下の課題が挙げられる。すなわち、ＡＣ入力は、使用されている機器や電源事情等により大きく変動する。また、複数のＡＣ入力端子から複数の定着ヒータに電源を供給する画像形成装置において、各ＡＣ入力ラインのＡＣ電圧値はＡＣ入力ライン毎に異なるので、１個のＡＣ電圧検出機能では、各ＡＣ入力ラインのＡＣ電圧値に対応した定着制御ができない。そのため、画像形成装置において、不良画像等の定着機能のダウン、定着機能への不安定な電力供給が発生してしまう。
【０００６】
本発明は、上記に鑑みてなされたものであって、複数のＡＣ入力端子それぞれの電圧値に対応した制御を行い、負荷回路への安定した電力供給を確保することのできる画像形成装置、電源制御装置、画像形成方法および電源制御方法を提供することを目的とする。
【課題を解決するための手段】
【０００７】
上述した課題を解決し、目的を達成するために、請求項１にかかる発明は、画像形成装置であって、１または２以上の定着ヒータと、商用ＡＣ電源に接続し、前記定着ヒータに電力を供給する第１ＡＣ入力端子および第２ＡＣ入力端子と、前記第１ＡＣ入力端子における電圧を検出する第１電圧検出手段と、前記第２ＡＣ入力端子における電圧を検出する第２電圧検出手段と、前記第１電圧検出手段により検出された電圧および前記第２電圧検出手段により検出された前記電圧のうち少なくとも一方の電圧に基づいて、前記定着ヒータを制御する制御手段とを備えたことを特徴とする。
【０００８】
また、請求項２にかかる発明は、請求項１に記載の画像形成装置であって、第１定着ヒータと、第２定着ヒータを備え、前記第１ＡＣ入力端子は、前記１または２以上の第１定着ヒータに電力を供給し、前記第２ＡＣ入力端子は、前記１または２以上の第２定着ヒータに電力を供給することを特徴とする。
【０００９】
また、請求項３にかかる発明は、請求項２に記載の画像形成装置であって、前記制御手段は、前記第１定着ヒータの点灯ＤＵＴＹを制御し、かつ前記第２定着ヒータの点灯ＤＵＴＹを制御することを特徴とする。
【００１０】
また、請求項４にかかる発明は、請求項２または３に記載の画像形成装置であって、前記制御手段は、前記第１電圧検出手段により検出された電圧が高いほど前記第１定着ヒータの点灯ＤＵＴＹを小さくし、前記第２電圧検出手段により検出された電圧が高いほど前記第２定着ヒータの点灯ＤＵＴＹを小さくすることを特徴とする。
【００１１】
また、請求項５にかかる発明は、請求項４に記載の画像形成装置であって、前記制御手段は、さらに前記第１ＡＣ入力端子の定格値に応じて前記第１定着ヒータの点灯ＤＵＴＹを制御し、前記第２ＡＣ入力端子の定格値に応じて前記第２定着ヒータの点灯ＤＵＴＹを制御することを特徴とする。
【００１２】
また、請求項６にかかる発明は、請求項４または５に記載の画像形成装置であって、前記制御手段は、前記第１電圧検出手段により検出された電圧が前記第１ＡＣ入力端子の定格値により定まる閾値よりも大きい場合に、前記第１定着ヒータの出力をオフすることを特徴とする。
【００１３】
また、請求項７にかかる発明は、請求項６に記載の画像形成装置であって、前記制御手段は、前記第１電圧検出手段により検出された電圧が前記閾値よりも大きい場合に、前記第１定着ヒータおよび前記第２定着ヒータの出力をオフすることを特徴とする。
【００１４】
また、請求項８にかかる発明は、請求項２または３のいずれか一項に記載の画像形成装置であって、前記制御手段は、前記第１ＡＣ入力端子が前記第２ＡＣ入力端子に比べてより大きい電力を供給する場合に、前記第１電圧検出手段により検出された電圧に基づいて、前記第１定着ヒータおよび前記第２定着ヒータを制御することを特徴とする。
【００１５】
また、請求項９にかかる発明は、請求項８に記載の画像形成装置であって、前記制御手段は、前記第１電圧検出手段により検出された電圧が大きいほど前記第１定着ヒータおよび第２定着ヒータの点灯ＤＵＴＹを小さくすることを特徴とする。
【００１６】
また、請求項１０にかかる発明は、請求項９に記載の画像形成装置であって、前記制御手段は、さらに前記第１ＡＣ入力端子の定格値に応じて、前記第１定着ヒータおよび前記第２定着ヒータの点灯ＤＵＴＹを制御することを特徴とする。
【００１７】
また、請求項１１にかかる発明は、請求項８から１０のいずれか一項に記載の画像形成装置であって、前記制御手段は、前記第１電圧検出手段により検出された電圧が前記第１ＡＣ入力端子の定格値により定まる閾値よりも大きい場合に、前記第１定着ヒータの出力をオフすることを特徴とする。
【００１８】
また、請求項１２にかかる発明は、請求項１１に記載の画像形成装置であって、前記制御手段は、前記第１電圧検出手段により検出された電圧が前記閾値よりも大きい場合に、前記第１定着ヒータおよび前記第２定着ヒータの出力をオフすることを特徴とする。
【００１９】
また、請求項１３にかかる発明は、請求項１から１２のいずれか一項に記載の画像形成装置であって、前記第１ＡＣ入力端子または第２ＡＣ入力端子のうちいずれか一方が、前記制御手段に電力を供給することを特徴とする。
【００２０】
また、請求項１４にかかる発明は、請求項１から１３のいずれか一項に記載の画像形成装置であって、前記制御手段は、当該画像形成装置の動作可能状態に遷移する状態である動作準備状態において、前記定着ヒータの制御を行うことを特徴とする。
【００２１】
また、請求項１５にかかる発明は、電源制御装置であって、１または２以上の負荷回路と、商用ＡＣ電源に接続し、前記定着ヒータに電力を供給する第１ＡＣ入力端子および第２ＡＣ入力端子と、前記第１ＡＣ入力端子における電圧を検出する第１電圧検出手段と、前記第２ＡＣ入力端子における電圧を検出する第２電圧検出手段と、前記第１電圧検出手段により検出された電圧および前記第２電圧検出手段により検出された前記電圧のうち少なくとも一方の電圧に基づいて、前記負荷回路を制御する制御手段とを備えたことを特徴とする。
【００２２】
また、請求項１６にかかる発明は、画像形成方法であって、商用ＡＣ電源に接続し、１または２以上の定着ヒータに電力を供給する第１ＡＣ入力端子における電圧を検出する第１電圧検出ステップと、商用ＡＣ電源に接続し、１または２以上の定着ヒータに電力を供給する第２ＡＣ入力端子における電圧を検出する第２電圧検出ステップと、前記第１電圧検出ステップにおいて検出された電圧および前記第２電圧検出ステップにおいて検出された前記電圧のうち少なくとも一方の電圧に基づいて、前記定着ヒータを制御する制御ステップとを有することを特徴とする。
【００２３】
また、請求項１７にかかる発明は、電源制御方法であって、商用ＡＣ電源に接続し、１または２以上の負荷回路に電力を供給する第１ＡＣ入力端子における電圧を検出する第１電圧検出ステップと、商用ＡＣ電源に接続し、１または２以上の負荷回路に電力を供給する第２ＡＣ入力端子における電圧を検出する第２電圧検出ステップと、前記第１電圧検出ステップにおいて検出された電圧および前記第２電圧検出ステップにおいて検出された前記電圧のうち少なくとも一方の電圧に基づいて、前記負荷回路を制御する制御ステップとを有することを特徴とする。
【発明の効果】
【００２４】
請求項１にかかる発明によれば、第１ＡＣ入力端子および第２ＡＣ入力端子が、商用ＡＣ電源に接続し、定着ヒータに電力を供給し、第１電圧検出手段が、第１ＡＣ入力端子における電圧を検出し、第２電圧検出手段が、第２ＡＣ入力端子における電圧を検出し、制御手段が、第１電圧検出手段により検出された電圧および第２電圧検出手段により検出された電圧のうち少なくとも一方の電圧に基づいて、定着ヒータを制御するので、複数のＡＣ入力端子それぞれの電圧値に対応した制御を行い、定着機能を確保し、かつ定着への安定した電力供給を確保することができるという効果を奏する。
【００２５】
また、請求項２にかかる発明によれば、第１ＡＣ入力端子が、１または２以上の第１定着ヒータに電力を供給し、第２ＡＣ入力端子が、１または２以上の第２定着ヒータに電力を供給するので、第１定着ヒータおよび第２定着ヒータそれぞれに対応するＡＣ入力端子それぞれの電圧値に対応した制御を行うことができるという効果を奏する。
【００２６】
また、請求項３にかかる発明によれば、制御手段が、第１定着ヒータの点灯ＤＵＴＹを制御し、かつ第２定着ヒータの点灯ＤＵＴＹを制御するので、第１定着ヒータおよび第２定着ヒータそれぞれに対応するＡＣ入力端子それぞれの電圧値に対応した制御を行うことができるという効果を奏する。
【００２７】
また、請求項４にかかる発明によれば、制御手段が、第１電圧検出手段により検出された電圧が高いほど第１定着ヒータの点灯ＤＵＴＹを小さくし、第２電圧検出手段により検出された電圧が高いほど第２定着ヒータの点灯ＤＵＴＹを小さくするので、第１定着ヒータおよび第２定着ヒータそれぞれに対応するＡＣ入力端子それぞれの電圧値に対応した制御を行うことができるという効果を奏する。
【００２８】
また、請求項５にかかる発明によれば、制御手段は、さらに第１ＡＣ入力端子の定格値に応じて第１定着ヒータの点灯ＤＵＴＹを制御し、第２ＡＣ入力端子の定格値に応じて第２定着ヒータの点灯ＤＵＴＹを制御するので、第１定着ヒータおよび第２定着ヒータそれぞれに対応するＡＣ入力端子それぞれの電圧値に対応した制御を行うことができるという効果を奏する。
【００２９】
また、請求項６にかかる発明によれば、制御手段が、第１電圧検出手段により検出された電圧が第１ＡＣ入力端子の定格値により定まる閾値よりも大きい場合に、第１定着ヒータの出力をオフするので、装置の安全性を確保することができる。
【００３０】
また、請求項７にかかる発明によれば、制御手段が、第１電圧検出手段により検出された電圧が閾値よりも大きい場合に、第１定着ヒータおよび第２定着ヒータの出力をオフするので、装置の安全性を確保することができる。
【００３１】
また、請求項８にかかる発明によれば、制御手段が、第１ＡＣ入力端子が第２ＡＣ入力端子に比べてより大きい電力を供給する場合に、第１電圧検出手段により検出された電圧に基づいて、第１定着ヒータおよび第２定着ヒータを制御するので、処理の効率化を図ることができるという効果を奏する。
【００３２】
また、請求項９にかかる発明によれば、制御手段が、第１電圧検出手段により検出された電圧が大きいほど第１定着ヒータおよび第２定着ヒータの点灯ＤＵＴＹを小さくするので、ＡＣ入力端子の電圧値に対応した制御を行うことができるという効果を奏する。
【００３３】
また、請求項１０にかかる発明によれば、制御手段が、さらに第１ＡＣ入力端子の定格値に応じて、第１定着ヒータおよび第２定着ヒータの点灯ＤＵＴＹを制御するので、ＡＣ入力端子の電圧値に対応した制御を行うことができるという効果を奏する。
【００３４】
また、請求項１１にかかる発明によれば、制御手段が、第１電圧検出手段により検出された電圧が第１ＡＣ入力端子の定格値により定まる閾値よりも大きい場合に、第１定着ヒータの出力をオフするので、装置の安全性を確保することができる。
【００３５】
また、請求項１２にかかる発明によれば、制御手段が、第１電圧検出手段により検出された電圧が閾値よりも大きい場合に、第１定着ヒータおよび第２定着ヒータの出力をオフするので、装置の安全性を確保することができる。
【００３６】
また、請求項１３にかかる発明によれば、第１ＡＣ入力端子または第２ＡＣ入力端子のうちいずれか一方が、制御手段に電力を供給するので、他のＡＣ入力端子に以上があった場合においても制御手段を駆動することができるという効果を奏する。
【００３７】
また、請求項１４にかかる発明によれば、制御手段が、当該画像形成装置の動作可能状態に遷移する状態である動作準備状態において、定着ヒータの制御を行うので、装置の制御負荷を低減することができるという効果を奏する。
【００３８】
また、請求項１５にかかる発明によれば、第１ＡＣ入力端子および第２ＡＣ入力端子が、商用ＡＣ電源に接続し、定着ヒータに電力を供給し、第１電圧検出手段が、第１ＡＣ入力端子における電圧を検出し、第２電圧検出手段が、第２ＡＣ入力端子における電圧を検出し、制御手段が、第１電圧検出手段により検出された電圧および第２電圧検出手段により検出された電圧のうち少なくとも一方の電圧に基づいて、負荷回路を制御するので、複数のＡＣ入力端子それぞれの電圧値に対応した制御を行い、負荷回路への安定した電力供給を確保することができるという効果を奏する。
【００３９】
また、請求項１６にかかる発明によれば、第１電圧検出ステップにおいて、商用ＡＣ電源に接続し、１または２以上の定着ヒータに電力を供給する第１ＡＣ入力端子における電圧を検出し、第２電圧検出ステップにおいて、商用ＡＣ電源に接続し、１または２以上の定着ヒータに電力を供給する第２ＡＣ入力端子における電圧を検出し、制御ステップにおいて、第１電圧検出ステップにおいて検出された電圧および第２電圧検出ステップにおいて検出された電圧のうち少なくとも一方の電圧に基づいて、定着ヒータを制御するので、複数のＡＣ入力端子それぞれの電圧値に対応した制御を行い、定着機能を確保し、かつ定着への安定した電力供給を確保することができるという効果を奏する。
【００４０】
また、請求項１７にかかる発明によれば、第１電圧検出ステップにおいて、商用ＡＣ電源に接続し、１または２以上の負荷回路に電力を供給する第１ＡＣ入力端子における電圧を検出し、第２電圧検出ステップにおいて、商用ＡＣ電源に接続し、１または２以上の負荷回路に電力を供給する第２ＡＣ入力端子における電圧を検出し、制御ステップにおいて、第１電圧検出ステップにおいて検出された電圧および第２電圧検出ステップにおいて検出された電圧のうち少なくとも一方の電圧に基づいて、負荷回路を制御するので、複数のＡＣ入力端子それぞれの電圧値に対応した制御を行い、負荷回路への安定した電力供給を確保することができるという効果を奏する。
【発明を実施するための最良の形態】
【００４１】
以下に添付図面を参照して、この発明にかかる画像形成装置、電源制御装置、画像形成方法および電源制御方法の最良な実施の形態を詳細に説明する。
【００４２】
（第１の実施の形態）
図１は、第１の実施の形態にかかる画像形成装置において定着ヒータを制御する制御回路１０の構成を示す図である。制御回路１０は、主に、第１商用ＡＣ電源１１１と、第１ノイズフィルタ１１２と、第１パワーリレー１１３と、第１定着制御回路１１４と、第１電圧検出回路１１５と、第２商用ＡＣ電源１２１と、第２ノイズフィルタ１２２と、第２パワーリレー１２３と、第２定着制御回路１２４と、第２電圧検出回路１２５と、第２電圧検出回路１２５と、整流平滑回路１４１と、ＡＣ／ＤＣコンバータ１４２と、主制御部１４３と、第１定着ヒータ１３１と、第２定着ヒータ１３２と、第３定着ヒータ１３３と、第４定着ヒータ１３４とを備えている。
【００４３】
第１商用ＡＣ電源１１１から供給される電力は第１ノイズフィルタ１１２、第１パワーリレー１１３を介して、第１〜第３定着ヒータ１３１，１３２，１３３に供給される。さらに、第２商用ＡＣ電源１２１から供給される電力は第２ノイズフィルタ１２２、第２パワーリレー１２３を介して、第４定着ヒータ１３４に供給される。第２商用ＡＣ電源１２１は、第２ノイズフィルタ１２２、整流平滑回路１４１、ＡＣ／ＤＣコンバータ１４２を介して主制御部１４３にＤＣ電源を供給する。
【００４４】
第１ノイズフィルタ１１２と、第１パワーリレー１１３の間には、第１電圧検出回路１１５が設けられている。第１電圧検出回路１１５は、第１商用ＡＣ電源１１１から供給される電源の電圧を検出する。また、第２ノイズフィルタ１２２と、第２パワーリレー１２３の間には、第２電圧検出回路１２５が設けられている。第２電圧検出回路１２５は、第２商用ＡＣ電源１２１から供給される電源の電圧を検出する。
【００４５】
主制御部１４３は、第１電圧検出回路１１５により検出された電圧値に基づいて、第１定着制御回路１１４を介して第１〜第３定着ヒータ１３１〜１３３のオンオフを制御する。また、第２電圧検出回路１２５により検出された電圧値に基づいて、第２定着制御回路１２４を介して第４定着ヒータ１３４のオンオフを制御する。
【００４６】
具体的には、２つの商用ＡＣ電源１１１，１２１の定格値をＶａ、電圧検出回路１１５，１２５により検出されたＣ電圧検出値をＶｂ、商用ＡＣ電源１１１，１２１の定格値設定時における定着ヒータの点灯ＤｕｔｙをＰｅ（％）とすると、点灯ヒータの点灯ＤＵＴＹであるＰは、（式１）により決定する。
Ｐ＝（Ｖａ／Ｖｂ）×Ｐe（％）      …（式１）
すなわち、主制御部１４３は、商用ＡＣ電源１１１，１２１の定格値に対して、各ＡＣ入力ラインで得られたＡＣ電圧検出値が高い場合は、定着ヒータの点灯ＤＵＴＹをより低く設定する。各ＡＣ入力ラインで得られたＡＣ電圧検出値が低い場合に定着ヒータの点灯ＤＵＴＹをより高く設定する。
【００４７】
このように、主制御部１４３は、各ＡＣ入力ラインのＡＣ電圧検出結果に基づき、それぞれに対応する定着ヒータの点灯ＤＵＴＹを設定することができる。
【００４８】
図２に示すように、第１商用ＡＣ電源１１１から電源コードを介して供給されるＡＣ入力ラインの電圧検出値をＶ１、第２商用ＡＣ電源１２１から電源コードを介して供給されるＡＣ入力ラインの電圧検出値をＶ２（Ｖ２＞Ｖ１）とする。この場合には、図３に示すように、第２商用ＡＣ電源１２１から電力が供給される第４定着ヒータ１３４の点灯ＤＵＴＹは、第１商用ＡＣ電源１１１から電力が供給される第１〜第３定着ヒータ１３１〜１３３の点灯ＤＵＴＹに比べて小さい値に設定する。
【００４９】
このように、制御回路１０においては、２つの商用ＡＣ電源１１１，１２１それぞれに対応する２つの電圧検出回路１１５，１２５が設けられている。したがって、２つの商用ＡＣ電源１１１，１２１の２系統のＡＣ入力ラインのＡＣ電圧値を検出することができる。これにより、各商用ＡＣ電源１１１，１２１の電圧値に基づいて、対応する定着ヒータにおける点灯ＤＵＴＹを制御することができる。
【００５０】
さらに、図４に示すように電圧閾値を設定し、Ｖ１およびＶ２のうち少なくともいずれか一方の値が電圧閾値を越えた場合には、主制御部１４３は、第１〜第４定着ヒータ１３１〜１３４のすべてをオフするよう第１定着制御回路１１４および第２定着制御回路１２４に指示してもよい。ここで、電圧閾値とは、商用ＡＣ電源の定格値よりも大きい値である。これにより、画像形成装置１の安全性を確保することができる。
【００５１】
さらに他の例としては、図５に示すように、Ｖ２が電圧閾値を越えた場合には、対応する定着ヒータ、すなわち第４定着ヒータ１３４をオフするよう第２定着制御回路１２４に指示してもよい。すなわち、Ｖ１およびＶ２のうち少なくともいずれか一方の値が電圧閾値を越えた場合には、対応する定着ヒータをオフする。この場合にも、画像形成装置１の安全性を確保することができる。
【００５２】
さらに、以上のような第１〜第４定着ヒータ１３１〜１３４の点灯ＤＵＴＹの制御は、画像形成装置１が動作可能状態になるための動作準備状態、すなわちウォームアップ状態の間に行うこととする。これにより、画像形成装置１の負荷を軽減し、ＣＰＭＤＰＵＮを防ぐことができる。
【００５３】
図６は、第１〜第４定着ヒータ１３１〜１３４を示す図である。第１〜第４定着ヒータ１３１〜１３４は、１つの定着ローラ２１２に搭載されている。定着ローラ２１２と加圧ローラ２１３の間をトナー３１０が融着された用紙３００が搬送される。
【００５４】
図７は、画像形成装置１の全体構成を示す図である。画像形成装置１は、露光された原稿からの反射光を光電変換し、信号処理を行うスキャナ部２０１と、レーザより照射されたレーザ光を、感光体上に投影する書き込み部２０２と、書き込み部２０２のレーザ出力のＰＭ，ＰＷＭ変調により潜像を作る感光体２０３とを備えている。さらに、感光体２０３の表面を一様に帯電させる帯電部２０４と、潜像を作った感光体２０３にトナーを付着させる現像部２０５と、感光体２０３に付着させたトナー画像を転写紙に転写する転写部（中間転写ベルト）２０６を備えている。
【００５５】
また、これら現像、感光体２０３廻りの作像はＣ（シアン），Ｙ（イエロ），Ｍ（マゼンダ），Ｂｋ（ブラック）の４色分を独立で行うカラータンデム方式を備える。また、給紙トレイを本体部２０７（片面機）と給紙バンク２０８に、手差し給紙台２０９を本体部に備えている。また、搬送部から送られてきた用紙に温度と圧を加えて、トナーを用紙上に融着させるベルト定着ユニット２１１と、定着ローラ２１２、加圧ローラ２１３とを備えている。
【００５６】
以上、本発明を実施の形態を用いて説明したが、上記実施の形態に多様な変更または改良を加えることができる。
【００５７】
そうした変更例としては、第１商用ＡＣ電源１１１と第１ノイズフィルタ１１２のうち電力負荷の大きい方の商用ＡＣ電源についてのみ電圧検出を行うこととしてもよい。第１〜第４定着ヒータ１３１〜１３４のワット数を順に、Ｎ１Ｗ，Ｎ２Ｗ，Ｎ３Ｗ，Ｎ４Ｗとする。また、各定着ヒータのワット数は、（Ｎ１＋Ｎ２＋Ｎ３）Ｗ＜Ｎ４Ｗの関係にあるとする。この場合には、最も電力を要する第４定着ヒータ１３４に供給されるＡＣ入力ラインのみＡＣ電圧検出を行い、このＡＣ電圧検出結果より、第１〜第４定着ヒータ１３１〜１３４すべての定着ヒータの点灯ＤＵＴＹを設定する。
【００５８】
これにより、第１〜第３定着ヒータ１３１〜１３３の点灯ＤＵＴＹの計算が不要となるので、処理の効率化を図ることができる。また、最も電力を要する定着ヒータに対応するＡＣ入力ラインにおいてのみＡＣ電圧検出を行うことにより、定着起因による不良画像も低減することができる。
【００５９】
また、本実施の形態において説明した制御回路１０は、他の電源装置に適用してもよい。さらにこの場合、電源装置は、定着ヒータ以外の負荷回路を備えてもよい。
【００６０】
（第２の実施の形態）
図８は、第２の実施の形態にかかる画像形成装置２の制御回路１１の構成を示す図である。第２の実施の形態にかかる制御回路１１は、第１の実施の形態にかかる第１電圧検出回路１１５に替えて、第１絶縁トランス１１６と、第１ダイオードブリッジ１１７とを備えている。すなわち、第１絶縁トランス１１６および第１ダイオードブリッジ１１７は、第１ノイズフィルタ１１２と第１パワーリレー１１３の間に設けられている。また、第２電圧検出回路１２５に替えて、第２絶縁トランス１２６と、第２ダイオードブリッジ１２７とを備えている。すなわち、第２絶縁トランス１２６および第２ダイオードブリッジ１２７は、第２ノイズフィルタ１２２と第１パワーリレー１２３の間に設けられている。
【００６１】
主制御部１４３は、第１絶縁トランス１１６および第１ダイオードブリッジ１１７により検出された第１商用ＡＣ電源１１１の電圧に基づいて第１〜第３定着ヒータ１３１〜１３３の制御を行う。さらに、第２絶縁トランス１２６および第２ダイオードブリッジ１２７により検出された第２商用ＡＣ電源１２１の電圧に基づいて第４定着ヒータ１３４の制御を行う。
【００６２】
本実施の形態においては、絶縁トランス１１６，１２６を利用するので、ＡＣ電源とＤＣ電源の絶縁を維持することができる。すなわち、第１商用ＡＣ電源１１１および第２商用ＡＣ電源１２１それぞれから供給される２系統のＡＣ入力ラインのＡＣ電圧値をＡＣ電源とＤＣ電源の絶縁を維持したまま検出することができる。
【００６３】
なお、第２の実施の形態にかかる画像形成装置２のこれ以外の構成および動作は、第１の実施の形態にかかる画像形成装置１の構成および動作と同様である。
【００６４】
（第３の実施の形態）
図９は、第３の実施の形態にかかる画像形成装置３の制御回路１２の構成を示す図である。第３の実施の形態にかかる制御回路１２は、第２の実施の形態にかかる第１定着制御回路１１４にかえて第１フォトカプラ１１８を備えている。また、第２定着制御回路１２４に替えて第２フォトカプラ１２８を備えている。さらに、主制御部１４３には、第１〜第４定着ヒータ１３１〜１３４以外のＤＣ負荷１４４が接続されている。この場合には、主制御部１４３は、第１フォトカプラ１１８を介して第１〜第３定着ヒータ１３１〜１３３を制御する。また、第２フォトカプラ１２８を介して第４定着ヒータ１３４を制御する。
【００６５】
このように、フォトカプラ１１８，１２８を設けることにより、第１〜第３定着ヒータ１３１〜１３３の各ＡＣ入力とＤＣと絶縁することができる。なお、フォトカプラにかえて、フォトトライアックを用いてもよい。
【００６６】
なお、第３の実施の形態にかかる画像形成装置３のこれ以外の構成および動作は、第２の実施の形態にかかる画像形成装置２の構成および動作と同様である。
【図面の簡単な説明】
【００６７】
【図１】第１の実施の形態にかかる画像形成装置において定着ヒータを制御する制御回路１０の構成を示す図である。
【図２】ＡＣ入力ラインの電圧波形を示す図である。
【図３】定着ヒータの点灯ＤＵＴＹを示す図である。
【図４】定着ヒータの制御を説明するための図である。
【図５】定着ヒータの制御を説明するための図である。
【図６】第１〜第４定着ヒータ１３１〜１３４を示す図である。
【図７】画像形成装置１の全体構成を示す図である。
【図８】第２の実施の形態にかかる画像形成装置２の制御回路１１の構成を示す図である。
【図９】第３の実施の形態にかかる画像形成装置３の制御回路１２の構成を示す図である。
【符号の説明】
【００６８】
１〜３  画像形成装置
１０〜１３  制御回路
１１１  第１商用ＡＣ電源
１１２  第１ノイズフィルタ
１１３  第１パワーリレー
１１４  第１定着制御回路
１１５  第１電圧検出回路
１１６  第１絶縁トランス
１１７  第１ダイオードブリッジ
１１８  第１フォトカプラ
１２１  第２商用ＡＣ電源
１２２  第２ノイズフィルタ
１２３  第２パワーリレー
１２４  第２定着制御回路
１２５  第２電圧検出回路
１２６  第２絶縁トランス
１２７  第２ダイオードブリッジ
１２８  第２フォトカプラ
１３１〜１３４  第１〜第４定着ヒータ
１４１  整流平滑回路
１４２  ＡＣ／ＤＣコンバータ
１４３  主制御部
１４４  ＤＣ負荷
２０１  スキャナ部
２０２  書き込み部
２０３  感光体
２０４  帯電部
２０５  現像部
２０７  本体部
２０８  給紙バンク
２０９  手差し給紙台
２１１  ベルト定着ユニット
２１２  定着ローラ
２１３  加圧ローラ
【図１】
2008076491.tif 000003
【図２】
2008076491.tif 000004
【図３】
2008076491.tif 000005
【図４】
2008076491.tif 000006
【図５】
2008076491.tif 000007
【図６】
2008076491.tif 000008
【図７】
2008076491.tif 000009
【図８】
2008076491.tif 000010
【図９】
2008076491.tif 000011